(57)【要約】【課題】簡単な構成でバックアップ電源の電池の消費電流を削減でき、交流電力の供給がある時には、液晶表示器の表示の消費電力を削減することができる炊飯器を提供する。  【解決手段】加熱手段２８と、液晶表示手段２４と、加熱手段２８と液晶表示手段２４を制御する制御手段２３と、キー入力手段２７と、液晶表示手段２４へ電力を供給する液晶電源回路２５と、液晶電源回路２５を遮断する液晶電源回路遮断手段２９と、商用電源２１からの交流電力の供給がないときに液晶電源回路２５に直流電力を供給するバックアップ電源２６と、を備え、制御手段２３は、液晶表示手段２４が非表示のときに、液晶電源回路遮断手段２９により液晶電源回路２５を遮断する。  【選択図】図２
2008272143.tif 000002
【特許請求の範囲】
【請求項１】
炊飯物を収容する内鍋と、この内鍋を加熱する加熱手段と、時刻や炊飯等に関する情報を表示する液晶表示手段と、前記加熱手段と前記液晶表示手段を制御する制御手段と、炊飯開始等の指令を前記制御手段に送るキー入力手段と、前記液晶表示手段へ電力を供給する液晶電源回路と、前記液晶電源回路を遮断する液晶電源回路遮断手段と、商用電源からの交流電力の供給がないときに前記液晶電源回路に直流電力を供給するバックアップ電源と、を備え、
前記制御手段は、前記液晶表示手段が非表示のときに、前記液晶電源回路遮断手段により前記液晶電源回路を遮断することを特徴とする炊飯器。
【請求項２】
前記制御手段はマイコンで構成し、
前記液晶電源回路遮断手段は、前記マイコンの出力ポートで兼ねることを特徴とする請求項１記載の炊飯器。
【請求項３】
前記商用電源の停電を検知する停電検知手段を備え、
前記制御手段は、前記停電検知手段の出力により停電と判断したときに、前記液晶表示手段の表示を非表示とし、前記液晶電源回路遮断手段により前記液晶電源回路を遮断することを特徴とする請求項１又は請求項２記載の炊飯器。
【請求項４】
前記制御手段は、前記キー入力手段の入力が無くなってから所定時間が経過した後は、前記液晶表示手段の表示を非表示とし、前記液晶電源回路遮断手段により前記液晶電源回路を遮断することを特徴とする請求項１又は請求項２記載の炊飯器。
【請求項５】
前記制御手段は、炊飯や保温等の各工程における、予め定められた所定の工程において、前記液晶表示手段の表示を非表示とし、前記液晶電源回路遮断手段により前記液晶電源回路を遮断することを特徴とする請求項１又は請求項２記載の炊飯器。
【請求項６】
前記炊飯工程は、予熱、炊上げ及びむらしの各工程からなり、前記予熱工程では予熱開始から所定時間経過後及び前記炊上げ工程の全行程を前記液晶表示手段の表示を非表示とし、前記液晶電源回路遮断手段により前記液晶電源回路を遮断することを特徴とする請求項５記載の炊飯器。
【請求項７】
前記保温工程では、保温開始から所定時間経過後、前記保温開始からの所定周期まで及び前記所定周期毎の一定時間の各々の間を前記液晶表示手段の表示を非表示とし、前記液晶電源回路遮断手段により前記液晶電源回路を遮断することを特徴とする請求項５記載の炊飯器。
【発明の詳細な説明】
【技術分野】
【０００１】
本発明は、炊飯器に関し、特に、時刻や炊飯等に関する情報を表示する液晶表示器に費やされる不要な消費電力を削減して省エネルギーを図り、製品寿命を延ばすことができる炊飯器に関するものである。
【背景技術】
【０００２】
液晶表示手段を備えた従来の炊飯器では、電源コンセントが接続されていない状態では表示手段に電源を供給するバックアップ用の電源電池とを備え、炊飯器の組立検査終了後に少なくとも液晶表示手段の表示動作をＯＦＦにする電池延命制御モードを実行し、電源電池の電力消費量を低減している（例えば、特許文献１参照）。
【０００３】
【特許文献１】特開２００３−２６５３１６号公報（段落００５７〜００６８、図４）
【発明の開示】
【発明が解決しようとする課題】
【０００４】
従来の炊飯器は、液晶表示手段の表示を必要としない工程においても時刻や炊飯等に関する情報の表示は継続されていた。又、停電時にも表示を行う必要から、バックアップ電源として電池を使用しており、店頭展示等の停電時にも液晶表示手段に表示をしていた。  その為の電池は、製品耐用年数確保や近年の液晶表示器サイズの大型化、停電時表示内容の増加等による消費電流の増加から、電池の寿命が短くなるという問題があった。
【０００５】
この為に電池の容量を大きくすると、コストアップやサイズが大きくなってしまうという問題もあった。更には、近年の炊飯器の電池は基板に直付けされているものが殆どで、電池消耗による交換時には、半田作業が伴い、作業技術料等が生じてしまうという問題があった。
【０００６】
また、商用電源からの交流電力の供給がある場合には、液晶表示手段の液晶電源回路から電源が供給される。液晶電源回路は電圧分割のための複数の抵抗の直列からなり、従来は交流電力を直流電力に変換した直流電源とグランド間に接続されており、液晶表示手段の表示に必要な異なった複数の電圧を発生させるため、直流電源から液晶電源回路を介してグランドに対して常時電流を流しておく必要があった。この電流による消費電力は、いわゆる待機電力と呼ばれるものの一部である。
【０００７】
例えば、液晶表示手段の駆動電圧の仕様が１／３バイアスタイプで、液晶表示器への駆動信号を３段階の階段波形として印加するものでは、３つの抵抗の抵抗値が全て等しく、直流電源から供給される直流電力の電圧が３Ｖとすれば、抵抗分圧され制御手段の液晶電源入力ポートに入力される電圧は、ＶＬ１＝３Ｖ、ＶＬ２＝２Ｖ、ＶＬ３＝１Ｖとなる。このとき、３つの抵抗の直列回路に流れる回路電流は数μＡ〜１００μＡ程度にもなり、この待機電力に対する環境保全対策からも積極的な削減が要求されているものである。
【０００８】
また、商用電源からの交流電力の供給が無い場合には、バックアップ電源の電池から、液晶電源回路及び制御手段へ直流電力が供給されることになる。
【０００９】
本発明はこの様な問題点を解決する為になされたもので、簡単な構成でバックアップ電源の電池の消費電流を削減でき、電池の寿命を延ばして安価で信頼性が高く、又、商用電源から交流電力が供給されている時には、液晶表示器の表示を必要としない工程等で費やされていた無駄な消費電力を削減することができ、エネルギー消費量が削減され、環境保全に考慮された炊飯器を提供することを目的とする。
【課題を解決するための手段】
【００１０】
本発明に係る炊飯器は、炊飯物を収容する内鍋と、この内鍋を加熱する加熱手段と、時刻や炊飯等に関する情報を表示する液晶表示手段と、前記加熱手段と前記液晶表示手段を制御する制御手段と、炊飯開始等の指令を前記制御手段に送るキー入力手段と、前記液晶表示手段へ電力を供給する液晶電源回路と、前記液晶電源回路を遮断する液晶電源回路遮断手段と、商用電源からの交流電力の供給がないときに前記液晶電源回路に直流電力を供給するバックアップ電源と、を備え、前記制御手段は、前記液晶表示手段が非表示のときに、前記液晶電源回路遮断手段により前記液晶電源回路を遮断するものである。
【発明の効果】
【００１１】
本発明によれば、制御手段は、液晶表示手段が非表示のときに、液晶電源回路遮断手段により液晶電源回路を遮断するので、簡単な構成でバックアップ電源である電池の消費電流を削減でき、電池の寿命を延ばして安価で信頼性を向上させ、又、商用電源から交流電力が供給されている時には、液晶表示器の表示を必要としない工程等で費やされていた無駄な消費電力を削減することができ、エネルギー消費量が削減され、環境保全を図ることができる。
【発明を実施するための最良の形態】
【００１２】
実施の形態１．
図１は本発明の実施の形態１を示す炊飯器の断面図、図２は炊飯器の構成を示すブロック図、図３は本発明の動作を示すフローチャートである。
【００１３】
図１において、炊飯器は、炊飯器本体１内には、外面を磁性体金属で構成され、上部にフランジ部を有し、被加熱物を収容する有底筒状の内鍋２が設けられ、そのフランジ部が保護枠３の上部枠３ａに懸架支持されている。保護枠３は内鍋２を収納する開口部を構成する筒状の保護枠であり、外面に胴ヒータ４を貼付した側面放熱板５、外面に誘導コイル６を支持するコイル台７で構成され、炊飯器本体１の上部に勘合して配設されている。また、平面状の誘導コイル６は、内鍋２の底部コーナー部に対向する位置に配設された誘導コイル６ａと、コイル台７の内鍋２の底面に対向する位置に配設された誘導コイル６ｂからなる。また、コイル台７の下面に突出して配設されたフェライト台７ａ、底板８、フェライト台７ａに取り付けられ、外部への防磁を行うフェライト９が設けられている。底サーミスタ１１は、コイル台７の中央部に取り付けられ、バネ１０により内鍋２の方向に付勢され、内鍋２に接触して被加熱物の温度を間接的に検知する。
【００１４】
炊飯器本体１の上部に配設された蓋体１２は、保護枠３に一体に成形されたヒンジ部３ｂにより軸１３を介して炊飯器本体１の上部を開閉自在に支持される。蓋体１２の内面下部には蓋放熱板１４が取り付けられ、蓋放熱板１４の内面には蓋ヒータ１５が貼付されている。また、蓋体１２の内部には蓋断熱材１６が配設される。蓋体１２の下面に着脱自在に取り付けられた内蓋１７の周囲にはパッキン１８が配設され、蓋体１２を閉じたときにパッキン１８が内鍋２に接して内鍋２を閉塞する。蓋サーミスタ１９は、蓋放熱板１４に取り付けられ、内蓋１７を貫通して内鍋２の内部温度を検知する。制御手段２３はマイコンで構成され、底サーミスタ１１と蓋サーミスタ１９の温度情報に基づいて、誘導コイル６、胴ヒータ４及び蓋ヒータ１５等を電力制御して、炊飯、保温を行う。
【００１５】
図２において、炊飯器は、商用電源２１、商用電源２１からの交流電力を直流電力へ変換する直流電源２２、直流電源２２からの直流電力の供給を受けて、表示や炊飯等の制御を行う制御手段２３、制御手段２３から送られる駆動信号に従って表示を行う液晶表示手段である液晶表示手段２４、抵抗Ｒ１、Ｒ２、Ｒ３の直列回路を有し、直流電源２２からの直流電力の供給を受けて、その直流電力を抵抗分圧して、制御手段２３の液晶電源入力ポートへ入力し、液晶表示手段２４への電源を生成する液晶電源回路２５、バックアップ電源であり、商用電源２１からの交流電力の供給が無い場合、つまり、停電の場合には制御手段２３と液晶電源回路２５への直流電力の供給を行うバックアップ電源２６を備えている。
【００１６】
また、操作パネル（図示せず）に配置されたキースイッチからの入力指令を制御手段２３へ伝えるキー入力手段２７、加熱物である米と水を収容した内鍋を加熱して炊飯を行う誘導コイル６、胴ヒータ４及び蓋ヒータ１５からなる加熱手段２８を備えている。なお、キー入力手段２７の入力指令は、例えば、「炊飯」キーによる炊飯開始指令や、「メニュー」キーによる「炊込み」や「おかゆ」等のメニュー設定指令等である。
また、液晶電源回路２５とグランド間に接続されたトランジスタＴＲからなり、制御手段２３の出力ポートからの信号によって、液晶電源回路２５をＶＳＳレベルへ接続したり、遮断したりして、液晶表示手段２４への表示と非表示を行う液晶電源回路遮断手段２９、商用電源２１が接続されているかいないかを検出し、その検出結果を制御手段２３へ送る停電検出手段３０を備えている。
【００１７】
次に、この様な構成の本発明の実施の形態１の炊飯器の動作について、図２、図３を用いて説明する。
図３において、ステップＳ１では制御手段２３が停電検出手段３０の検出結果が停電であるかないかを判断する。ステップＳ１で停電ではない（通電）と判断された時は、ステップＳ２で制御手段２３の出力ポートから液晶電源回路遮断手段２９のトランジスタＴＲのベースにＨｉｇｈレベルの電圧が印加されてトランジスタＴＲがオンし、液晶電源回路２５がＶＳＳレベルへ接続され、液晶電源回路２５が有効になる。液晶電源回路２５においては、液晶表示手段２４の駆動信号は３段階の階段波形の１／３バイアスタイプなので、直流電源２２から供給される直流電力を３つの抵抗Ｒ１、Ｒ２、Ｒ３で分圧して、マイコンで構成された制御手段の液晶電源入力ポートに入力する。
【００１８】
このとき、３つの抵抗Ｒ１、Ｒ２、Ｒ３の抵抗値が等しく、直流電源２２から供給される直流電力の電圧を３Ｖとすれば、抵抗Ｒ１、Ｒ２、Ｒ３で分圧され制御手段２３の液晶電源入力ポートに入力される電圧は、ＶＬ１＝３Ｖ、ＶＬ２＝２Ｖ、ＶＬ３＝１Ｖとなる。そして、制御手段２３は液晶電源回路２５で抵抗分圧された３段階の駆動電圧を受けて、液晶表示手段２４へ駆動信号を送り、時刻や炊飯等に関する情報の表示を行う。
次に、ステップＳ３で炊飯等の通電時の処理として、制御手段２３はキー入力手段２７の入力指令に基づいて、誘導コイル６、胴ヒータ４及び蓋ヒータ１５からなる加熱手段２８により加熱を行う。
【００１９】
加熱手段２８により加熱を行い炊飯が開始されると、まず、予熱工程が実施されて、被加熱物である米と水を加熱して吸水を促進させる。続いて、底サーミスタ１１と蓋サーミスタ１９で検知される温度情報に基づいて炊上げ工程が行われ、内鍋２内部の雰囲気が沸騰温度に達し、内鍋２内の水分が無くなって内鍋２の底部の温度が上昇するまで加熱を継続する。次に、むらし工程に入り、高温維持の後に炊飯工程は完了し、保温工程に移行する。
【００２０】
次に、再びステップＳ１へ戻って停電であるかどうかの判断を行う。ステップＳ１で停電であると判断された時には、ステップＳ４で、制御手段２３の出力ポートからトランジスタＴＲのベースにＬｏｗレベルの電圧を印加し、トランジスタＴＲをオフとし、液晶電源回路２５を遮断する。液晶電源回路２５を遮断すると液晶電源回路２５の回路電流は流れない。
そして、ステップＳ５では、停電状態からの復帰検出等の停電時の処理をして、再びステップＳ１へ戻って停電であるかどうかの判断を行う。
【００２１】
以上のように、商用電源２１の停電を検知する停電検知手段３０を備え、制御手段２３は、停電検知手段３０の出力により停電と判断したときに、液晶表示手段２４の表示を非表示とし、液晶電源回路遮断手段２９により液晶電源回路２５を遮断するので、停電時に液晶電源回路２５に流れ続ける不要な消費電流を無くすことができ、バックアップ電源２６である電池の無駄な消費電力を抑え、電池の寿命を延ばすことができる。
【００２２】
本実施の形態では、液晶電源回路遮断手段２９は液晶電源回路２５をＶＳＳレベルへ接続するか、遮断するかを制御することによって構成されているが、これに限られるものではなく、液晶電源回路２５を直流電源２２へ接続するか、遮断するかを制御する構成としてもよい。
【００２３】
実施の形態２．
図４は本発明の実施の形態２の炊飯器の構成を表すブロック図である。図において、実施例１で説明した図２と同一の部分については、同じ符号を付し説明を省略する。図２との違いは、液晶電源回路遮断手段２９の切り替えを行うトランジスタＴＲに相当するものが、マイコンで構成された制御手段２３の出力ポートにあるので、液晶電源回路遮断手段２９を出力ポートで兼ねることである。
【００２４】
このように、制御手段２３をマイコンで構成し、液晶電源回路遮断手段２９は、マイコンの出力ポートで兼ねるので、トランジスタやリレー等の開閉素子を他に設ける必要が無く、安価な製品を提供することができる。
【００２５】
実施の形態３．
図５は本発明の実施の形態３の炊飯器の動作を表すフローチャートである。本実施の形態３の炊飯器構成は、実施の形態１及び２で説明した図２或いは図４と同じなので、構成の説明は省略し、動作について説明する。
【００２６】
図５において、ステップＳ１１では所定時間を計時する為の所定時間計時用タイマＴ（図示しないが制御手段２３に内蔵されている）をリセットする。この所定時間計時用タイマＴはリセットにより初期化された後、計時を開始し、次のリセットによる初期化が行われるまでは計時を継続する。ステップＳ１２では操作パネル（図示せず）に配置されたキースイッチの入力があったかどうかを判定し、キー入力があったと判断された場合には、ステップＳ１３で液晶電源回路遮断手段２９を接続状態にして、液晶電源回路２５を有効にして、制御手段２３からの駆動信号によって液晶表示手段２４の表示を行う。その後、ステップＳ１１に戻って、再び所定時間計時用タイマＴをリセットする。
【００２７】
ステップＳ１２でキー入力が無いと判断された場合は、ステップＳ１４において、ステップＳ１１でリセットされた所定時間計時用タイマＴが、予め定められた所定時間を経過したかどうかを判断する。所定時間を経過していなければステップＳ１２に戻る。ステップＳ１４で、所定時間が経過していると判断された場合には、ステップＳ１５で液晶表示手段２４の表示を非表示（ＯＦＦ）として、液晶電源回路遮断手段２９の接続を遮断する。
【００２８】
以上のように、制御手段２３は、キー入力手段２７の入力が無くなってから所定時間が経過した後は、液晶表示手段２４の表示を非表示とし、液晶電源回路遮断手段２９は液晶電源回路２５を遮断するので、時刻設定や炊飯開始指令等のキースイッチ操作時には、その設定操作の確認に必要な液晶表示手段２４の表示を行い、設定操作が終わって、所定時間が経過して、設定操作を確認する為の表示が必要では無くなった時には液晶表示手段２４の表示を非表示とするので、表示が必要ではない時には不要な液晶電源回路２５の回路電流を削減できる。この時、商用電源２１からの交流電力の供給が無い停電時には、バックアップ電源２６である電池の寿命を延ばすことになり、商用電源２１からの交流電力の供給が有る通電時には、商用電源２１からの無駄な消費電力を削減することができる。
【００２９】
実施の形態４．
図６は本発明の実施の形態４の炊飯器の炊飯工程の温度変化を表す工程図、図７は液晶表示手段２４の表示例である。本実施の形態４の炊飯器構成は、実施の形態１及び２で説明した図１、図２或いは図４と同じなので、液晶表示手段２４の表示例と動作について説明する。
【００３０】
図６において、上段は底サーミスタ１１の検出温度の変化を表す曲線、下段は液晶表示手段２４の表示のＯＮ／ＯＦＦ状態を表すチャートである。ＯＮの区間では表示を行い、ＯＦＦの区間では非表示である。この工程図は炊飯の過程を表しており、予熱工程から始まり、炊上げ（炊飯）工程、むらし工程を経て、炊飯は終了する。
【００３１】
米と水を入れた内鍋２を炊飯器本体１の内部に収容し、操作パネル（図示せず）に配置された炊飯キー（図示せず）を押下することにより炊飯が開始する。予熱工程が開始され、所定の時間が経過すると（ここでは１０分間とする）、設定操作の確認の為の表示が必要では無くなったと考えられ、液晶表示手段２４の表示を非表示とする。その後、予熱工程を終了して、内鍋２内の沸騰を維持する炊上げ（炊飯）工程を行い、内鍋２内の水分が蒸発によって無くなり、底サーミスタ１１の検出温度が急激に上昇したところで炊上げ（炊飯）工程を終了して、むらし工程に移行する。これまでの工程では、液晶表示手段２４の表示は行われていないが、設定操作を確認する為の表示が必要ではない工程なので、実使用において使用者の不都合は生じない。
【００３２】
むらし工程では、炊飯終了まで後何分間であるかの表示を行う為（いわゆる炊飯残時間表示）、液晶表示手段２４の表示を行い、炊飯終了までの残り時間をカウントダウン表示する。そして、所定のむらし時間が経過すると炊飯は終了となる。
【００３３】
図７において、上段（１）の表示例は予熱工程開始から所定時間経過までの表示例であり、中段（２）は予熱工程開始から所定時間経過以降の表示例であり、むらし工程開始まで継続される。下段（３）はむらし工程中の表示例である。図において、四角枠で囲われた範囲が液晶表示手段２４の表示範囲で、表示範囲の外部左側に、炊飯時間を短縮して炊飯する「お急ぎ」の表示や、「白米」「無洗米」等の米の種類の表示がされている。外部右側には、メニュー表示として「ふつう」「かため」「やわらか」「炊込み」「おかゆ」の表示がされており、操作パネル（図示せず）に配置された「お米」や「メニュー」等のキースイッチを押下することによって、それぞれ選択される。選択された設定の表示は、図７に示されるように三角形のマークによって示される。
【００３４】
上段（１）の表示例では米の種類設定が「白米」、メニュー設定が「ふつう」、現在時刻が「８：００」の状態である。現在時刻の表示は液晶表示手段２４の表示が行われている所定時間の間は（この場合は１０分間）、時間経過と共に「８：０１」「８：０２」…と遷移していく。中段（２）の表示例では、液晶表示手段２４の表示は非表示となっており、表示は全くされていない。下段（３）の表示例では、米の種類、メニュー設定の表示と併せて、炊飯終了までの残時間表示として、「１５分後にできあがり」と表示される。その後の時間経過に伴って、炊飯残時間の表示は「１４分後にできあがり」「１３分後にできあがり」…と遷移する。
【００３５】
以上のように、制御手段２３は、炊飯や保温等の各工程における、予め定められた所定の工程において、液晶表示手段２４の表示を所定時間非表示とし、液晶電源回路遮断手段２９は液晶電源回路２５を遮断するので、表示が必要ではない工程で消費される無駄な消費電力を削減することができる。
【００３６】
また、炊飯工程は、予熱、炊上げ及びむらしの各工程からなり、予熱工程では予熱開始から所定時間経過後及び前記炊上げ工程の全工程を前記液晶表示手段の表示を非表示とし、液晶電源回路遮断手段２９は液晶電源回路２５を遮断するので、設定操作の確認の為の表示が必要ではない工程では、液晶表示手段２４の表示を非表示とし、使用者へ炊飯が後何分で終了するかを表示報知する必要の有るむらし工程では、液晶表示手段２４の表示を行っているので、使用者の使い勝手を損なうこと無く、表示が必要ではない工程で消費される無駄な消費電力を削減することができる。
【００３７】
なお、本実施の形態では、炊上げ工程の全工程を液晶表示手段２４の表示を非表示としたが、所定周期毎の一定時間以外を液晶表示手段２４の表示を非表示としてもよい。
【００３８】
実施の形態５．
図８は本発明の実施の形態５の炊飯器の保温工程の温度変化を表す工程図、図９は液晶表示手段２４の表示例である。本実施の形態５の炊飯器構成は、実施の形態１及び２で説明した図１、図２或いは図４と同じなので、液晶表示手段２４の表示例と動作について説明する。
【００３９】
図８において、上段は底サーミスタ１１の検出温度の変化を表す曲線、下段は液晶表示手段２４の表示のＯＮ／ＯＦＦ状態を表すチャートである。ＯＮの区間では表示を行い、ＯＦＦの区間では非表示である。この工程図は炊飯終了後（むらし工程終了後）に移行する保温工程の過程を表しており、炊飯でのむらし工程終了から、保温設定温度までの温度低下の過程を経て、保温温度を一定に保つ工程に入り継続する。
【００４０】
米と水を入れた内鍋２を炊飯器本体１の内部に収容し、操作パネル（図示せず）に配置された炊飯キー（図示せず）を押下することにより炊飯が開始され、予熱工程、炊上げ（炊飯）工程、むらし工程を経て炊飯が終了し、保温工程へ移行する。
【００４１】
保温工程が開始され、所定の時間が経過すると（ここでは３０分間とする）、設定操作の確認の為の表示が必要では無くなったと考えられ、液晶表示手段２４の表示を非表示とする。その後、保温経過時間が１時間になると、再び液晶表示手段２４の表示を再開し、保温経過時間を表示報知する。ここでの表示についても、保温経過時間が更に１時間経過して、２時間となるまでは同じ表示を継続することとなるが、１時間経過、２時間経過等の毎時間の区切りに表示内容の変更が生じるので、その際に所定時間の間だけ表示報知を行えば、次の表示内容変更の時までは表示を非表示としても支障は無く、そのことによって無駄な消費電力を削減することができる。
【００４２】
以後、２時間経過、３時間経過、…と保温経過時間の毎時間の区切り毎に、液晶表示手段２４の表示を再開し、所定時間の間（ここではそれぞれ１０分間とした）、保温経過時間表示を行う。この表示の繰り返しは保温工程が取り消されるまで継続する。
【００４３】
図９において、最上段（１）の表示例は保温工程開始から所定時間経過までの表示例であり、上から２段目（２）の表示例は保温工程開始から所定時間経過以降の表示例であり、保温工程開始から１時間経過未満まで継続される。上から３段目（３）は保温工程開始から１時間経過後の表示例であり、上から４段目（４）は保温工程１時間経過から所定時間経過以降の表示例である。最下段（５）は保温工程開始から２時間経過後の表示例である。図において、四角枠で囲われた範囲が液晶表示手段２４の表示範囲で、表示範囲の外部左側に、炊飯時間を短縮して炊飯する「お急ぎ」の表示や、「白米」「無洗米」等の米の種類の表示がされている。外部右側には、メニュー表示として「ふつう」「かため」「やわらか」「炊込み」「おかゆ」の表示がされており、操作パネル（図示せず）に配置された「お米」や「メニュー」等のキースイッチを押下することによって、それぞれ選択される。選択された設定の表示は、図に示されるように三角形のマークによって示される。
【００４４】
上段（１）の表示例では米の種類設定が「白米」、メニュー設定が「ふつう」、保温経過時間が１時間未満（「０時間」）の状態である。上から２段目（２）の表示例では、液晶表示手段２４の表示は非表示となっており、表示は全くされていない。上から３段目（３）の表示例では、米の種類、メニュー設定の表示継続と併せて、保温経過時間の表示が「０時間」から「１時間」へ変化している。上から４段目（４）の表示例は、上から２段目（２）の表示例と同一で、表示は非表示となっており、表示は全くされていない。最下段（５）の表示例では、上から３段目（３）の表示例と同様で、米の種類、メニュー設定の表示継続と併せて、保温経過時間の表示が「１時間」から「２時間」へと変化している。
【００４５】
以上のように、保温工程では、保温開始から所定時間経過後、保温開始からの所定周期まで及び所定周期毎の一定時間の各々の間を液晶表示手段２４の表示を非表示とし、液晶電源回路遮断手段２９は液晶電源回路２５を遮断するので、設定操作の確認の為の表示が必要ではない工程では、液晶表示手段２４の表示を非表示とし、使用者へ保温経過時間が「１時間」「２時間」と変化していくタイミングで表示報知を行っているので、使用者の使い勝手を損なうこと無く、表示が必要ではない工程で消費される無駄な消費電力を削減することが可能となる。特に、保温工程は長時間に及ぶ場合が多く、表示による無駄な消費電力の割合が高かったが、本実施の形態によれば、最初の１時間は３０分間、その後は１時間の内の１０分間のみの表示であるので、その消費電力の削減の割合を大きくすることができる。
【００４６】
なお、実施の形態１〜５において、液晶表示手段２４を表示するときは点滅表示としてさらに、消費電力の削減をしてもよい。
【図面の簡単な説明】
【００４７】
【図１】本発明の実施の形態１を示す炊飯器の断面図である。
【図２】本発明の実施の形態１を示す炊飯器の構成を表すブロック図である。
【図３】本発明の実施の形態１を示す炊飯器の動作を表すフローチャートである。
【図４】本発明の実施の形態２を示す炊飯器の構成を表すブロック図である。
【図５】本発明の実施の形態３を示す炊飯器の動作を表すフローチャートである。
【図６】本発明の実施の形態４を示す炊飯器の炊飯工程における液晶表示手段の状態を表す工程図である。
【図７】本発明の実施の形態４を示す炊飯器の炊飯工程における液晶表示手段の表示例を表す図である。
【図８】本発明の実施の形態５を示す炊飯器の保温工程における液晶表示手段の状態を表す工程図である。
【図９】本発明の実施の形態５を示す炊飯器の保温工程における液晶表示手段の表示例を表す図である。
【符号の説明】
【００４８】
２  内鍋、２１  商用電源、２２  直流電源、２３  制御手段、２４  液晶表示手段、２５  液晶電源回路、２６  バックアップ電源、２７  キー入力手段、２８  加熱手段、２９  液晶電源回路遮断手段、３０  停電検出手段。
【図１】
2008272143.tif 000003
【図２】
2008272143.tif 000004
【図３】
2008272143.tif 000005
【図４】
2008272143.tif 000006
【図５】
2008272143.tif 000007
【図６】
2008272143.tif 000008
【図７】
2008272143.tif 000009
【図８】
2008272143.tif 000010
【図９】
2008272143.tif 000011